(57)【要約】【課題】ベルトコンベヤのリターンローラの交換が極めてスムーズに行うことができるようにする。【解決手段】ベルトコンベヤに於けるリターン側ベルトａの両側外側で、かつ前後所定間隔毎の位置に定置プレート５を配置し、また末端にグリップ７を有するスライドプレート８を上記定置プレートの片面側に配置すると共に、この定置プレートに上記スライドプレートを前記スライドプレートが水平な姿勢から倒れ方向に旋回し、かつベルトの長手方向にスライドするように支持するガイド手段Ｂを設け、さらに上記スライドプレートの中途上縁から下方にリターンローラ２の支軸３の両端外周対称位置に設けてある切欠溝４を落とし込み係合する切欠き１４を設け、また上記スライドプレートの水平な姿勢での上記ベルトの走行方向へのスライドにともない係合関係になり、かつ上記ベルトの走行方向の反対方向へのスライドにともない係合関係が解除されるような姿勢制御手段Ｃを上記定置プレート及びスライドプレートに設けた構成を採用する。【選択図】図３
2015187032.tif 000002
【特許請求の範囲】
【請求項１】
ベルトコンベヤに於けるリターン側ベルトの両側外側で、かつ前後所定間隔毎の位置に定置プレートを配置し、また末端にグリップを有するスライドプレートを上記定置プレートの片面側に配置すると共に、この定置プレートに上記スライドプレートを前記スライドプレートが水平な姿勢から倒れ方向に旋回し、かつベルトの長手方向にスライドするように支持するガイド手段を設け、さらに上記スライドプレートの中途上縁から下方にリターンローラの支軸の両端外周対称位置に設けてある切欠溝を落とし込み係合する切欠きを設け、また上記スライドプレートの水平な姿勢での上記ベルトの走行方向へのスライドにともない係合関係になり、かつ上記ベルトの走行方向の反対方向へのスライドにともない係合関係が解除されるような姿勢制御手段を上記定置プレート及びスライドプレートに設けたことを特徴とするベルトコンベヤのリターンローラ。
【発明の詳細な説明】
【技術分野】
【０００１】
この発明は、ベルトコンベヤにおけるリターンローラに関し、機能を喪失したりリターンローラの交換作業性を良好にした点にある。
【背景技術】
【０００２】
ベルトコンベヤは、周知のように、ヘッドプーリとテールプーリとに無端状のベルトをかけ渡し、ベルトのキャリヤ側裏面は、キャリヤローラで支承され、ベルトのリターン側表面は、リターンローラで支承されている。
【０００３】
このリターンローラの支持は、コンベヤフレームに取り付けてある梁材の両端から起立するスタンドや、コンベヤフレームから垂れ下がるアームに上面開放のＵ字状の切欠きを設けて、この切欠きにリターンローラの支軸の両端外周対称位置に設けてある切欠溝を上方から落とし込み係合させて、上記の支軸を不回転状態に支持する（特許文献１及び２参照）。
【先行技術文献】
【特許文献】
【０００４】
【特許文献１】実開平６−４２８２３号公報
【特許文献２】特開２００９−１２６６６２号公報
【発明の概要】
【発明が解決しようとする課題】
【０００５】
ところで、何らかの影響、例えばリターンローラの外周面の摩滅や支軸の両端軸承軸受の故障にともなうスムーズな回転を阻害する不都合が発生すると、リターンローラを交換しなければならない。
【０００６】
しかしながら、リターンローラの支軸の両端支持を特許文献１及び２のような定置式スタンドやアームの切欠きに切欠溝を落とし込む方式によると、交換にともない切欠きからの切欠溝を脱出させるために、リターンローラとベルトを上記脱出可能な高さ（位置）迄持ち上げなければならない。
【０００７】
この要因のため、人手や機器を用いて行うため、人手の場合多大な労力を必要とし、また機器を用いる場合機器の搬入、搬出及び機器の操作に手数がかかるなどの問題があった。
【０００８】
特に狭い空間にあっては、上述の切欠きから切欠溝を脱出させるためのリターンローラとベルトを持ち上げできないので、リターンローラの交換ができない。
【０００９】
そこで、この発明は、リターンローラの交換が極めて容易（スムーズ）に行うことができるようにしたことにある。
【課題を解決するための手段】
【００１０】
上記の課題を解決するために、この発明は、ベルトコンベヤに於けるリターン側ベルトの両側外側で、かつ前後所定間隔毎の位置に定置プレートを配置し、また末端にグリップを有するスライドプレートを上記定置プレートの片面側に配置すると共に、この定置プレートに上記スライドプレートを前記スライドプレートが水平な姿勢から倒れ方向に旋回し、かつベルトの長手方向にスライドするように支持するガイド手段を設け、さらに上記スライドプレートの中途上縁から下方にリターンローラの支軸の両端外周対称位置に設けてある切欠溝を落とし込み係合する切欠きを設け、また上記スライドプレートの水平な姿勢での上記ベルトの走行方向へのスライドにともない係合関係になり、かつ上記ベルトの走行方向の反対方向へのスライドにともない係合関係が解除されるような姿勢制御手段を上記定置プレート及びスライドプレートに設けた構成を採用する。
【発明の効果】
【００１１】
以上のように、この発明のリターンローラによれば、姿勢制御手段によりスライドプレートの姿勢を水平に維持することで、リターンベルトにリターンローラの上周面を接触（ベルトを支承）させて、ベルトコンベヤの運転を継続することができると共に、この状況下で姿勢制御手段の係合関係でスライドプレートの安定した水平な姿勢を保つことができる。
【００１２】
運転にともない何らかの影響でリターンローラの交換が必要な場合、ベルトの走行方向の反対方向にスライドプレートをスライドさせながら姿勢制御手段の係合関係を解除することによりスライドプレートを旋回させることができるので、リターンローラを降下（ベルトに対し離反するように）させることができる。
【００１３】
すると、切欠きから支軸の切欠溝を脱出させてリターンローラを回収し、次のリターンローラの交換が可能になり、交換に要した人手や機器を用いたベルトの持ち上げがなく、極めて容易（スムーズ）に交換ができ、ベルトコンベヤの稼働率の大幅な低下がない。
【００１４】
勿論、狭い空間であってもリターンローラの交換が容易になる以外に、ベルトにリターンローラが接触した状況下でスライドプレートをスライドさせることになるが、その際リターンローラが回転するためスムーズに、かつ大きな労力を必要とすることなくスライドさせることもできる。
【図面の簡単な説明】
【００１５】
【図１】この発明の実施の形態を示す縦断正面図である。
【図２】同上の要部を示す縦断拡大正面図である。
【図３】同拡大側面図である。
【図４】姿勢制御手段の係合関係の解除を示す拡大側面図である。
【図５】スライドプレートを倒した状態を示す拡大側面図である。
【図６】リターンローラの支軸の支持を示す縦断拡大正面図である。
【図７】ガイド手段の部分の縦断拡大正面図である。
【発明を実施するための形態】
【００１６】
次に、この発明の実施形態を添付図面に基づいて説明する。
図１に示すベルトコンベヤＡは、周知のようにヘッドプーリとテールプーリ（いずれも図示省略）とに無端状のベルトａをかけ渡して形成され、キャリヤ側ベルトａの裏面は、前後に所定の間隔を存して配置したトラフ形のキャリアローラ１で支承してある。
【００１７】
また、リターン側ベルトａの下側には、前後に所定の間隔を存して多数列のリターンローラ２を配置する。
【００１８】
上記のリターンローラ２は、周知のように、軸芯に支軸３を貫通させて軸承し、この支軸３の両突出端の外周面対称位置には、図６に示すように切欠溝４が設けてある。
【００１９】
次に、リターンローラ２の支持を説明する。
リターンローラ２の配置位置の両端には、定置プレート５が設けてある。
【００２０】
上記の定置プレート５は、図示の場合コンベヤフレーム６に上縁を固定して垂設したが、限定されず、起立させて設けることもある。
【００２１】
また、定置プレート５の内側には、ベルトａの走行方向の反対方向に突出する（図示の場合）グリップ７を有するスライドプレート８が配置されている。
【００２２】
そして、このスライドプレート８は、ガイド手段Ｂによりベルトａの長手方向にスライドし、かつ起伏旋回するようになっている。
【００２３】
上記のガイド手段Ｂは、図示の場合スライドプレート８の先端部から中途迄の範囲に設けた長孔９と、この長孔９に貫通するように定置プレート５から突出させたピン１０とで構成し、長孔９の範囲（両端間）内でベルトａの長手方向にスライドプレート８をスライドさせることができる以外に、ピン１０を支点としてスライドプレート８を起伏状旋回できるようにしてある。
勿論、上記の構成に限定されず、その他の構成により目的を達成することもある。
【００２４】
さらに、定置プレート５とスライドプレート８には、水平な姿勢でベルトａの走行方向にスライドプレート８をスライドさせた際、上記水平な姿勢を維持する係合関係になり、かつスライドプレート８をベルトａの走行方向の反対方向にスライドさせた際、上述の係合関係が解除（解除にともないスライドプレート８が起伏旋回可能になる）できるよう姿勢制御手段Ｃが設けてある。
【００２５】
上記の姿勢制御手段Ｃは、図示の場合、スライドプレート８の中途上縁から突出する突片１１と、この突片１１のベルトａの走行方向側の縁からベルトａの走行方向の反対側に向け横向きＵ字状の切欠きに設けたレール１２と、スライドプレート８のベルトａの走行方向のスライドにともないレール１２に係合関係になるよう嵌まり込むよう定置プレート５から突出させた突起１３とで構成したが、限定されず、上記目的を達成するその他の構成を採用することもある。
【００２６】
勿論、スライドプレート８のベルトａ走行方向へのスライドにともないレール１２の開放端に突起１３の嵌入がスムーズにできるよう、レール１２の開放端の幅を大きく（拡幅）しておくとよい。
【００２７】
また、スライドプレート８の上縁中途から下方の向けＵ字状の切欠き１４を設けて、この切欠き１４に支軸３の切欠溝４を落とし込んで係合すると、スライドプレート８にキリターンローラ２の支軸３を不回転状態に支持することができる。
【００２８】
図中１５は定置プレート５の板面に突出させたストッパで、このストッパ１５にベルトａの走行方向にスライドプレート８をスライドさせたときスライドプレート８の下縁を当接させて、スライドプレート８の安定した水平な姿勢を保つようになっている。
【００２９】
上記のように構成すると、グリップ７を把持して水平な姿勢のスライドプレート８をベルトａの走行方向にスライドさせながら姿勢制御手段Ｃを係合関係に（図３に示すように）しておく。
【００３０】
すると、水平な姿勢を維持したスライドプレート８に支持させてあるリターンローラ２の上周面をベルトａに接触させて、ベルトコンベヤＡの運転を継続する。
【００３１】
何らかの影響によりリターンローラ２を交換する場合、まずグリップ７を把持してベルトａの走行方向の反対方向にガイド手段Ｂによりガイドしながらスライドプレート８をスライド（図３から図４に示すように）させて、図４に示すように姿勢制御手段Ｃの係合関係を解除する。
【００３２】
上記の解除後に把持したグリップ７により図４の状態から図５に示すようにスライドプレート８を旋回させることで、ベルトａに対し離反するようにリターンローラ２を降下させることができる。
【００３３】
その後に、上方にリターンローラ２を持ち上げながら、切欠き１４から切欠溝４を脱出させ、そしてリターンローラ２を回収する。
【００３４】
交換（新しい）リターンローラ２は、切欠き１４に切欠溝４を落とし込み係合して支軸３を支持させたのち、起立方向にスライドプレート８を旋回させ、然るのち、ガイド手段Ｂによりガイドしつつベルトａの走行方向にスライドプレート８をスライドさせながら、姿勢制御手段Ｃを係合関係にする。
すると、定位置にリターンローラ２を設置することができる。
【００３５】
なお、ベルトａの走行方向にスライドさせたスライドプレート８は、押し込みスライド位置で停止するので、運転中にあっては、スライドプレート８の姿勢制御手段Ｃの係合関係の解除はない。
【符号の説明】
【００３６】
Ａ  ベルトコンベヤ
ａ  ベルト
Ｂ  ガイド手段
Ｃ  姿勢制御手段
１  キャリヤローラ
２  リターンローラ
３  支軸
４  切欠溝
５  定置プレート
６  コンベヤフレーム
７  グリップ
８  スライドプレート
９  長孔
１０  ピン
１１  突片
１２  レール
１３  突起
１４  切欠き
１５  ストッパ
【図１】
2015187032.tif 000003
【図２】
2015187032.tif 000004
【図３】
2015187032.tif 000005
【図４】
2015187032.tif 000006
【図５】
2015187032.tif 000007
【図６】
2015187032.tif 000008
【図７】
2015187032.tif 000009